(57)【要約】 【課題】  干渉の効果を最大限に引き出して、特定の色の光のロスが発生しない高輝度なスクリーンを提供する。【解決手段】投射型表示媒体は、例えば、映写用のスクリーン等であり、基材面を複数の区画に分けてなる複数のセルを有する。それぞれのセルは、前記基材面から順に所定の間隔を空けて積層された複数の反射板を備える。この複数の反射板の各々は、プロジェクタからの投射光を反射し、互いに光の干渉を引き起こす。複数の反射板の所定の間隔は、このときの光路長差を決定するものである。よって、強調して反射したい光の色の波長によって所定の間隔を決めることにより、その色の反射光の分光成分を強調して反射することが可能となる。【選択図】      図３
2006220973.tif 000002
【特許請求の範囲】
【請求項１】
基材面を複数の区画に分けてなる複数のセルを有し、
前記複数のセルの各々は、前記基材面に対して略垂直方向に、前記基材面から順に所定の間隔を空けて積層された複数の反射板を備えることを特徴とする投射型表示媒体。
【請求項２】
前記基材面に対して垂直に反射板支持部が設置され、前記複数の反射板は、前記反射板支持部の側面に取付けられることを特徴とする請求項１に記載の投射型表示媒体。
【請求項３】
前記反射板支持部は、前記基材面に向かうにつれて次第に幅が広くなる形状を有することを特徴とする請求項２に記載の投射型表示媒体。
【請求項４】
前記複数の反射板は、前記基材面に近いものほど反射面が広いことを特徴とする請求項１又は３に記載の投射型表示媒体。
【請求項５】
前記複数の反射板の各々は、前記基材面に対して一定の角度で傾斜していることを特徴とする請求項１乃至４に記載の投射型表示媒体。
【発明の詳細な説明】
【技術分野】
【０００１】
本発明は、映写用スクリーンなどの投射型表示媒体に関する。
【背景技術】
【０００２】
従来、映写用のスクリーンなどに代表されるスクリーンは、可視光の殆どの光を散乱または反射することができる白地のスクリーンが基本である。このようなスクリーンでは、映像に関係のない外部の光がスクリーンに入射したときにも同様に散乱または反射されてしまうので、薄暗い場所で投影する方法が一般的である。
【０００３】
しかしながら、薄暗い場所で投影しても、外部からの光の漏れやスクリーンの照り返しなどにより、映像のコントラストが低下してしまうことがある。
【０００４】
このような問題を解決するために、特許文献１では、スクリーンの基材面に赤色反射用、緑色反射用および青色反射用の微粒子層をこの順に積層し、赤、緑、青のそれぞれの色の光を、それぞれの微粒子層で光の干渉により強めあうことにより、それぞれの色の光の輝度を上げてコントラストの改善を図っている。
【０００５】
しかし、このような場合、基材面に近い赤色反射用の微粒子層に入反射する赤色の光は、それより手前にある緑色反射用および青色反射用の微粒子層を通過することによって光のロスが発生してしまう。
【０００６】
【特許文献１】特開２００３−３３０１１９号公報
【発明の開示】
【発明が解決しようとする課題】
【０００７】
本発明が解決しようとする課題には、上記のようなものが一例として挙げられる。本発明は、干渉の効果を最大限に引き出して、特定の色の光のロスが発生しない高輝度なスクリーンを提供することを課題とする。
【課題を解決するための手段】
【０００８】
請求項１に記載の発明は、投射型表示媒体において、基材面を複数の区画に分けてなる複数のセルを有し、前記複数のセルの各々は、前記基材面に対して略垂直方向に、前記基材面から順に所定の間隔を空けて積層された複数の反射板を備えることを特徴とする。
【発明を実施するための最良の形態】
【０００９】
本発明の１つの観点では、投射型表示媒体は、基材面を複数の区画に分けてなる複数のセルを有し、前記複数のセルの各々は、前記基材面に対して略垂直方向に、前記基材面から順に所定の間隔を空けて積層された複数の反射板を備える。
【００１０】
上記の投射型表示媒体は、例えば、映写用のスクリーン等であり、基材面を複数の区画に分けてなる複数のセルを有する。それぞれのセルは、前記基材面から順に所定の間隔を空けて積層された複数の反射板を備える。この複数の反射板の各々は、プロジェクタからの投射光を反射し、その複数の反射板からの反射光は、互いに光の干渉を引き起こす。複数の反射板の所定の間隔は、このときの光路長差を決定するものである。よって、強調して反射したい光の色の波長によって所定の間隔を決めることにより、その色の反射光の分光成分を強調して出射することが可能となる。
【００１１】
本発明の投射型表示媒体の一態様は、前記基材面に対して略垂直に反射板支持部が設置され、前記複数の反射板は、前記反射板支持部の側面に取付けられる。これにより、光の経路上には、遮るものはなくなり、光のロスの発生を防ぐことができる。
【００１２】
本発明の投射型表示媒体の他の一態様は、前記反射板支持部は、前記基材面に向かうにつれて次第に幅が広くなる形状を有する。この態様では、セルの開口を広くすることができるので、視野角を広くすることができる。
【００１３】
本発明の投射型表示媒体の他の一態様は、前記複数の反射板は、前記基材面に近いものほど反射面が広いことを特徴とする。これにより、プロジェクタからの投射光が、投射型表示媒体に対し垂直に入射した場合に、投射型表示媒体は、光の干渉を起こし、所定の色の反射光の分光成分を強調して反射することができる。
【００１４】
本発明の投射型表示媒体の他の一態様は、前記複数の反射板の各々は、前記基材面に対して一定の角度で傾斜していることを特徴とする。これにより、プロジェクタからの投射光が、投射型表示媒体に対し、斜めに入射した場合に、投射型表示媒体は、光の干渉を起こし、所定の色の反射光の分光成分を強調して反射することができる。
【実施例】
【００１５】
以下、本発明の好適な実施例を図面に基づいて説明する。なお、以下で、スクリーンとして説明しているものは、投影光を受けることによって画像を映し出すことができるものであればよく、プロジェクタや映写機等の専用スクリーンに限られるものではない。
【００１６】
［基本構成］
図１は、本発明のスクリーンを利用した画像投射システムの概略構成図である。図１に示すように、画像投射システム１は、プロジェクタ２と、スクリーン３とを有する。スクリーン３は、プロジェクタ２から出射される投影光Ｌを受け、画像を映し出すことができる。
【００１７】
図２は、本発明のスクリーン３の部分拡大図である。スクリーン３は、所定の大きさからなるセル４の集合体として構成される。プロジェクタから出射される投影光Ｌは、赤（Ｒ）、緑（Ｇ）および青（Ｂ）の光の三原色に対応した分光成分に分けることができる。具体的には、例えば、投射光Ｌの発光スペクトルにおいて、波長λが６２３[ｎｍ]≦λ≦７７７[ｎｍ]の帯域にあるものを赤（Ｒ）の分光成分とし、波長λが４９１[ｎｍ]≦λ≦６２３[ｎｍ]の帯域にあるものを緑（Ｇ）の分光成分とし、３８１[ｎｍ]≦λ≦４９１[ｎｍ]の帯域にあるものを青（Ｂ）の分光成分とする。スクリーン３の１つのセル４は、プロジェクタから出射される投影光Ｌの発光スペクトルの帯域によって分けられた赤の分光成分、緑の分光成分および青の分光成分のうち、いずれか１つの分光成分を選択的に強調して反射する。このため、スクリーン３は、赤の分光成分を強調して反射するセル４Ｒ、緑の分光成分を強調して反射するセル４Ｇ、青の分光成分を強調して反射するセル４Ｂからなるカラー単位画素ＵＧが並んだ構成とされる。ここで、以下の説明もしくは図面において、色を問わずに構成要素を示す場合には、単に「セル４」のように記し、色を区別して構成要素を示す場合には、例えば「セル４Ｒ」のように記すこととする。
【００１８】
［第１実施例］
図３は、本発明の第１実施例に係るスクリーンを示す部分断面図である。具体的には、ここでは前記３種類のセル４Ｒ、４Ｇ、４Ｂからなるカラー単位画素ＵＧの断面図を示す。図３に示すように、スクリーン３は、基材１１と、その上に配置された投射光Ｌの分光成分を選択的に反射する反射部１２からなる。反射部１２は、光を反射するための反射板１４と、反射板１４を支持する反射板支持部１３とから構成されている。反射板支持部１３は、基材１１の表面に対して略垂直に取り付けられている。反射板支持部１３の側面に、複数の反射板１４が垂直に取り付けられている。ここで反射板１４の材料としては、可視光を高反射率で反射するものが望ましい。
【００１９】
図４は、本発明の第１実施例に係るスクリーンにおける一つのセル４の投影図であり、ここでは、一例として、図３の赤の分光成分を反射するセル４Ｒのみを図示している。図４（ａ）は、第１実施例に係るセル４Ｒの平面図である。プロジェクタ側から見たセル４全体の平面形状は、例えば長方形状とされ、長方形状をなすセル４の２つの長辺には、反射板支持部１３が配置される。図４（ｂ）は、第１実施例に係るセル４Ｒの断面図である。図４（ｂ）において、プロジェクタ側から基材１１へ向かう方向をＡ方向とする。
【００２０】
２つの長辺に配置された反射板支持部１３の側面に、複数の短冊形状の反射板１４が、Ａ方向に向けて、一定の間隔で取り付けられる。この間隔の大きさを「ｄ」とする。この間隔ｄは、セル４Ｒ、４Ｇ、４Ｂによって、即ちセル４の反射する分光成分の色によって大きさが異なる。また、図４（ａ）、（ｂ）が示すように、この反射板支持部１３の側面に取り付けられた反射板１４の幅Ｗは、Ａ方向に進むにつれて徐々に広くなる形状となる。このような構造とすることにより、１つの反射板支持部１３に取付けられたすべての反射板１４は、プロジェクタからＡ方向に進む投射光を反射することができる。これにより、それぞれの反射板１４で反射された光を干渉させることができる。後に詳しく述べるように、セル４Ｒ、４Ｇ、４Ｂのそれぞれにおいて、このように投射光Ｌを反射板１４に反射させ、それぞれのセル４で選択される色の反射光の分光成分のみを光の干渉によって強め合うことにより、選択的に分光成分のみを強めた反射を行うことが可能となる。また、反射板１４を、反射板支持部１３によって支持することにより、光の経路を遮るものをなくすことができ、光のロスの発生を防ぐことができる。なお、図４（ｃ）は、第１実施例に係るセル４Ｒの側面図であり、反射板支持部１３の外側から反射板指示部１３を通して見た透視図であるため、反射板１４を破線で示している。
【００２１】
図５（ａ）は、本発明の第１実施例に係るスクリーンを示す他の一例の部分断面図である。図５（ａ）では、反射部１２を透明な樹脂などの媒質２１によって形成している。この例では、図４で示したような反射板支持部１３によって反射板１４を支持するのではなく、媒質２１に反射板１４を階層的に埋め込むことにより、反射板１４を固定する構造となる。このようにしても、図４の例と同様に、選択された色の分光成分のみを強めた反射を行うことが可能である。また、特許文献１と異なり、図５（ａ）の例においても、特定の色についての光のロスが生じることもない。図５（ｂ）は、本発明の第１実施例に係るスクリーンを示すさらなる他の一例の部分断面図である。このようにセル４の中央に反射板１４を階層的に埋め込むこととしても、図５（ａ）と同様に、選択された色の分光成分のみを強めた反射を行うことが可能である。
【００２２】
（セルにおける投射光Ｌの選択反射の仕組み）
次にセル４における投射光Ｌの選択反射の仕組みについて詳しく述べる。図６は、セル４における投射光Ｌの反射する様子を示した模式図である。基板１１側から数えて、ｍ番目（ｍは自然数）の反射板１４を反射板１４ｍとし、反射板１４ｍと同じ反射板支持部１３に取り付けられ、反射板１４ｍから見て、プロジェクタ側の隣にあるｍ＋１番目の反射板１４を反射板１４ｍ_1とする。反射板１４は、プロジェクタ側に光が反射する反射面を有する。セル４に入射した投射光Ｌの光路は、反射板１４ｍで反射する光路Ｌｍと、反射板１４ｍ_１で反射する光路Ｌｍ_1に分かれる。光路Ｌｍは、光路Ｌｍ_１よりも光路長が長く、その光路Ｌｍ_1と光路Ｌｍの光路長差は間隔ｄおよび屈折率ｎを用いて２×ｎ×ｄと表される。ここで、屈折率ｎは、図４に示したように、反射板１４が、反射板支持部１３によって支持され、何らかの媒質によって覆われているのでなければ、ｎ＝１（空気の屈折率）である。一方、図５に示したように、反射板１４が、樹脂などの媒質２１によって階層的に固定される構造をとるのであれば、屈折率ｎの値は、その媒質２１の屈折率となる。よって、それぞれのセル４において、選択された色の反射光の分光成分を強めあう条件は、その選択された色の分光成分の波長をλとすると、光の干渉条件より、以下のように表すことができる。
【００２３】
２×ｎ×ｄ＝ｍ×λ（ｍは自然数）      式（１）
反射光の所定の分光成分の波長λに対して、反射板１４の間隔ｄが、式（１）を満たす値となることで、その反射光の分光成分を強め合うことができる。具体的には、セル４Ｒにおいては、式（１）の波長λを赤の分光成分の波長の帯域たる６２３[ｎｍ]≦λ≦７７７[ｎｍ]の範囲の何れかの値に設定したときに、この式（１）の関係を満たす間隔ｄで反射板１４を配置する。セル４Ｇにおいては、式（１）の波長λを緑の分光成分の帯域たる４９１[ｎｍ]≦λ≦６２３[ｎｍ]の範囲の何れかの値に設定したときに、この式（１）の関係を満たす間隔ｄで反射板１４を配置する。セル４Ｂにおいては、式（１）の波長λを青の分光成分の帯域たる３８１[ｎｍ]≦λ≦４９１[ｎｍ]の範囲の何れかの値に設定したときに、この式（１）の関係を満たす間隔ｄで反射板１４を配置する。このように、反射光のそれぞれの分光成分に適合した間隔ｄで反射板１４を配置することで、それぞれのセル４で選択される色の反射光の分光成分を強調して外部へ出射することができる。
【００２４】
［第２実施例］
第１実施例の変形例として、図７は、本発明の第２実施例に係るスクリーンにおける一つのセルの投影図を示す。第２実施例は、第１実施例におけるセル４の反射板１４の平面形状を変形している。
【００２５】
図７（ａ）は、第２実施例に係るスクリーンにおける一つのセル４Ｒの平面図である。図７（ｂ）は、第２実施例に係るセル４Ｒの断面図である。また、図７（ｃ）は、第２実施例に係るセル４Ｒの側面図である。以下、それぞれの実施例では、カラー単位画素ＵＧのうち、セル４Ｒを代表例として挙げることとし、セル４Ｇ、セル４Ｂの形状は、セル４Ｒの形状と同様とする。
【００２６】
セル４の反射板１４の平面形状は、第１実施例で示したような一枚板の短冊形状である必要はなく、図７（ａ）に示すように、複数のより小さな反射板１４ａが並んだ構成としても良い。さらに言えば、反射板１４は、図４（ａ）や図７（ａ）で示した形状には限られない。基材面の方向たる方向Ａに対し、段階的に幅Ｗが広くなる形状を有する反射板を、一定の間隔ｄで、配置するのであれば、光の干渉を引き起こすことができる。よって、この条件を満たす限り、反射板１４の形状は、他のどのような形状でも良い。
【００２７】
図７（ｄ）は、第２実施例に係るスクリーンの他の一例のセル４Ｒの平面図である。
図７（ｄ）に示すように、平面図において、セル４の２つの辺だけでなく、４辺に反射板支持部１３を設置し、反射板１４を取り付けることとしても良い。このときのセル４Ｒの断面図および側面図は、図４（ｂ）および（ｃ）と同じである。特に、この図７（ｄ）の例によれば、セル４の４辺全てに設置された反射板支持部１３に反射板１４を取付けることにより、セル４の光の反射面の面積が大きくなるので、上述した図４の第１実施例と比較して、より高い輝度を得ることが可能となる。なお、図７（ｄ）では、セル４の４辺に取り付けられた反射板１４は、一体として図示されているが、各辺毎に別々に分離して取り付けられていることとしても良い。
【００２８】
［第３実施例］
第１実施例の他の変形例として、図８は、本発明の第３実施例に係るスクリーンにおける一つのセルの投影図を示す。第３実施例は、第１実施例たる図４の例の反射板支持部１３の形状を変形している。
【００２９】
図８（ａ）は、第３実施例に係るスクリーンにおける一つのセル４Ｒの平面図である。図８（ｂ）は、第３実施例に係るセル４Ｒの断面図である。また図８（ｃ）は、第３実施例に係るセル４Ｒの側面図である。図８（ｂ）が示すように、第３実施例では、反射板支持部１３の側面は、斜面とされ、基材面に近づけば近づくほど、即ち、図８（ｂ）におけるＡ方向に向かうに従って、反射板支持部１３の幅は広くなる。反射板１４は、反射板支持部１３の斜面に取り付けられている。このようにすることで、図８（ａ）に示すように、第１実施例と比較して、第３実施例では、セル４の開口をプロジェクタ側に向けて広くすることができるので、視野角を拡大することができる。
【００３０】
［第４実施例］
第１実施例の他の変形例として、図９は、本発明の第４実施例に係るスクリーンにおける一つのセルの投影図を示す。第４実施例は、第１実施例たる図４の例の反射板支持部１３の配置を変形している。
【００３１】
図９（ａ）は、第４実施例に係るスクリーンにおける一つのセル４Ｒの平面図である。図９（ｂ）は、第４実施例に係るセル４Ｒの断面図である。また図９（ｃ）は、第４実施例に係るセル４Ｒの側面図である。図４に示す第１実施例では、反射板支持部１３は、一つのセル４の枠にそって配置されていたが、図９（ｂ）が示すように、第４実施例では、反射板支持部１３をセルの中央に配置する構成となる。このとき、反射板１４は、反射板支持部１３の両側面に同じ間隔ｄで取り付けられる。このようにしても、反射板支持部１３の両側面に取り付けられた反射板１４によって、反射光の所定の色の分光成分を干渉し強め合うことができるので、第１実施例と同様の効果を得ることができる。
【００３２】
第４実施例の他の例として、図１０は、第４実施例の他の一例に係るスクリーンにおける一つのセル４の投影図を示す。図１０（ａ）は、第４実施例の他の一例に係るスクリーンにおける一つのセル４Ｒの平面図である。図１０（ｂ）は、第４実施例の他の一例に係るセル４Ｒの断面図である。また図１０（ｃ）は、第４実施例の他の一例に係るセル４Ｒの側面図である。図１０に示すように、反射板支持部１３を柱形状とすることもできる。この場合、反射板支持部１３は、複数の反射板１４を軸通する構造となる。
【００３３】
さらに第４実施例の他の一例として、図１１は、第４実施例のさらなる他の一例に係るスクリーンにおける一つのセル４の投影図を示す。図１１（ａ）は、第４実施例のさらなる他の一例に係るセル４Ｒの断面図である。図１１（ｂ）は、第４実施例のさらなる他の一例に係るセル４Ｒの断面図である。図１１（ｃ）は、第４実施例のさらなる他の一例に係るセル４Ｒの側面図である。図１１に示すように、反射板支持部１２を柱形状とする代わりに円錐状とすることもできる。図１０および図１１では、このときの反射板１４は、例として円盤形状としているが、例えば正方形とするなど、この形に限られないのは言うまでもない。
【００３４】
［第５実施例］
第１実施例の実施例として、図１２は、本発明の第５実施例に係るスクリーンにおける一つのセルの投影図を示す。第５実施例では、第１実施例とはプロジェクタからの投射光の入射方向が変わる場合を想定している。
【００３５】
図１２（ａ）は、第５実施例に係るスクリーンにおける一つのセル４Ｒの平面図である。図１２（ｂ）は、セル４Ｒの断面図である。また図１２（ｃ）は、セル４Ｒの側面図である。第１実施例では、スクリーン正面からプロジェクタからの投射光が入射する場合を想定している。しかし、プロジェクタからの投射光は、スクリーンに到達したときには拡散しているので、セル４がスクリーンの上下左右の端に近い位置にある場合には、セル４に対し斜めから入射する。第５実施例では、このような斜めからプロジェクタの光が入射するような位置にあるセル４を想定している。そのため、第５実施例における反射板１４は、プロジェクタの光が入射する方向にその反射面がくるように反射板支持部１３に対して所定の傾斜角で傾けられている。
【００３６】
図１２（ｂ）において、反射板１４の反射板支持部１３に対する傾斜角を「α」とし、第１実施例と同様に、反射板の間隔を「ｄ」とする。すると、このときの隣り合った反射板１４における光路長差は、傾斜角αを用いて２×ｎ×ｄ×sinαとなる。よって、プロジェクタの光が、スクリーンに斜めに入射したときの光の干渉条件として式（２）は、式（１）を書き換えて、以下のように表すことができる。
【００３７】
２×ｎ×ｄ×sinα＝ｍ×λ（ｍは自然数）      式（２）
それぞれのセル４において、選択された色の波長λについて、式（２）を満たすように、反射板１４の間隔ｄを定めることにより、第１実施例のときと同様に、それぞれのセルで選択的に反射する色の分光成分を干渉により強め合わせて強調することができる。
【００３８】
第５実施例の他の一例として、図１３は、第５実施例の他の一例に係るスクリーンにおける一つのセル４の投影図を示す。図１３（ａ）は、第５実施例の他の一例に係るスクリーンにおける一つのセル４Ｒの平面図である。図１３（ｂ）は、第５実施例の他の一例に係るセル４Ｒの断面図である。また図１３（ｃ）は、第５実施例の他の一例に係るセル４Ｒの側面図である。図１３（ｂ）に示すように、第５実施例では、反射板１４を、傾斜角αの斜面を有する三角柱状としても、同様の効果を得ることができる。
【００３９】
［変形例］
スクリーンにおけるセル４の形状としては、上記のものに限られず、それぞれの実施例の組み合わせてもよい。例えば、図１４は、第３実施例と第５実施例の組み合わせた変形例の拡大断面図である。このようにすることで、図１４の変形例は、第３実施例の効果である視野角の拡大と、第５実施例の効果である斜めから光が入射したときの反射光の分光成分の強調反射という２つの効果を併せ持つことができる。
【００４０】
［スクリーンの製造方法］
次に本発明のスクリーンの製造方法について述べる。上記で述べたセルのパターンを形成する方法として、以下に、フォトレジストとして光重合型のフォトポリマーを用いた２つの方法を述べる。
【００４１】
図１５は、本発明のスクリーンの第１の製造方法の模式図である。基材１１の表面に未硬化のフォトポリマー２１を所定の厚さで塗布する。次に、フォトポリマー２１を塗布した基材１１に向けて、図１５（ａ）に示すように、光源２３から紫外線レーザ等のレーザを出射する。フォトポリマー２１は、レーザ２４の集光したところのみが硬化する性質を有する。よって、レーザ２４を制御して、フォトポリマー２１内部で反射板１４および反射板支持部１３の形にレーザ２４の集光位置を合わせ、フォトポリマーを感光させる。その後、フォトポリマーをアッシングなどにより除去する。これにより、図１５（ｂ）に示すように、反射板１４および反射板支持部１３の形状を三次元的に成型することができる。この方法は、微細な加工も可能であり、第５実施例のような反射板１４の形状が複雑なものに適している。
【００４２】
図１６は、本発明のスクリーンの第２の製造方法の模式図である。第２の製造方法では、フォトマスクを用いる。まず、基材１１の表面に未硬化のフォトポリマー２１ａを所定の厚さで塗布する。反射板支持部１３の形状に対応する開口を有するフォトマスク２２ａで、基材１１上に塗布されたフォトポリマー２１ａ上を覆う。基材１１のフォトレジスト２２ａで覆われた面に対し、紫外線を照射することにより、フォトマスク２２ａの開口部分のフォトポリマー２１ａのみが硬化し、反射板支持部の一部１３ａが形成される（図１５（ａ）参照）。次に、フォトマスク２２ａを外して、反射板支持部の一部１３ａが形成されたフォトポリマー２１ａ上に、さらに未硬化のフォトポリマー２１ｂを塗布する。次に、反射板１４の形状に対応する開口を有するフォトマスク２２ｂで、フォトポリマー２１ｂ上を覆い、再度、紫外線を照射する。これにより、フォトマスク２２ｂの開口部分のフォトポリマー２１ｂのみが硬化し、反射板１４が形成される（図１５（ｂ）参照）。以上の操作を繰り返し行う（図１５（ｃ）参照）。その後、フォトポリマーをエッチングなどにより除去することで、反射板１４および反射板支持部の形状を成型することができる（図１５（ｄ）参照）。この第２の製造方法は、第１の製造方法に較べて、工程を単純化することができるので、生産性の面において優れている。
【図面の簡単な説明】
【００４３】
【図１】本発明のスクリーンを利用した画像投射システムの概略構成図である。
【図２】本発明のスクリーンの部分拡大図である。
【図３】第１実施例に係るスクリーンを示す部分断面図である。
【図４】第１実施例に係るスクリーンにおける一つのセルの投影図である。
【図５】第１実施例に係るスクリーンを示す他の一例の部分断面図である。
【図６】セルにおける投射光Ｌの反射する様子を示した模式図である。
【図７】第２実施例に係るスクリーンにおける一つのセルの投影図である。
【図８】第３実施例に係るスクリーンにおける一つのセルの投影図を示す。
【図９】第４実施例に係るスクリーンにおける一つのセルの投影図を示す。
【図１０】第４実施例の他の一例に係るスクリーンにおける一つのセルの投影図である。
【図１１】第４実施例のさらに他の一例に係るスクリーンにおける一つのセルの投影図である。
【図１２】第５実施例に係るスクリーンにおける一つのセルの投影図を示す。
【図１３】第５実施例の他の一例に係るスクリーンにおける一つのセルの投影図である。
【図１４】第３実施例と第５実施例の組み合わせた変形例の拡大断面図である。
【図１５】本発明のスクリーンの第１の製造方法の模式図である。
【図１６】本発明のスクリーンの第２の製造方法の模式図である。
【符号の説明】
【００４４】
１１・・・基材
１３・・・反射板支持部
１４・・・反射板
【図１】
2006220973.tif 000003
【図２】
2006220973.tif 000004
【図３】
2006220973.tif 000005
【図４】
2006220973.tif 000006
【図５】
2006220973.tif 000007
【図６】
2006220973.tif 000008
【図７】
2006220973.tif 000009
【図８】
2006220973.tif 000010
【図９】
2006220973.tif 000011
【図１０】
2006220973.tif 000012
【図１１】
2006220973.tif 000013
【図１２】
2006220973.tif 000014
【図１３】
2006220973.tif 000015
【図１４】
2006220973.tif 000016
【図１５】
2006220973.tif 000017
【図１６】
2006220973.tif 000018